(57)【要約】【課題】サンドイッチのサイズなどに合わせて袋詰サンドイッチの保持位置を揃える。【解決手段】サンドイッチ包装機は、一端が開放した袋に三角サンドイッチ１６を収容した袋詰サンドイッチ１０を保持手段２６で支持して搬送する過程で、袋口を折り畳んで封止する。保持手段２６は、袋詰サンドイッチ１０の前側傾斜面１０ａに当接して、サンドイッチ１６の後側端面１６ａの前後位置を位置決めする規制部材３０を有している。規制部材３０には、前側傾斜面１０ａに当接する高さ位置と前後位置とを調節する調節手段３８が配設される。【選択図】図５
2015155326.tif 000002
【特許請求の範囲】
【請求項１】
一端が開放した袋(11)に三角サンドイッチ(16)を収容した袋詰サンドイッチ(10)を搬送手段(22)で支持して搬送する過程で、該搬送手段(22)の外側方に向いた袋口(12)を折り畳んで封止するサンドイッチ包装機の袋詰サンドイッチ保持装置において、
前記搬送手段(22)に前記搬送方向に向けて所定間隔毎に設けられ、該搬送手段(22)に受け入れた前記袋詰サンドイッチ(10)を外側方に向けて個々に保持する保持手段(26)を備え、
前記保持手段(26)は、前記袋詰サンドイッチ(10)の前側傾斜面(10a)に当接して、前記搬送手段(22)の外側方を向くサンドイッチ(16)の後側端面(16a)の前後位置を位置決めする規制部材(30)を備え、該規制部材(30)には、袋詰サンドイッチ(10)の前側傾斜面(10a)に当接する高さ位置と該前側傾斜面(10a)に当接する前後位置とを調節する調節手段(38)を配設した
ことを特徴とするサンドイッチ包装機の袋詰サンドイッチ保持装置。
【請求項２】
前記保持手段(26)は、前後方向に離間する少なくとも２個の規制部材(30,30)を備え、各規制部材(30)に前記調節手段(38)を設けたことを特徴とする請求項１記載のサンドイッチ包装機の袋詰サンドイッチ保持装置。
【請求項３】
前記調節手段(38)は、ワンアクションで前記規制部材(30)の上下と前後とに移動調節し得る構成としたことを特徴とする請求項１または２記載のサンドイッチ包装機の袋詰サンドイッチ保持装置。
【請求項４】
前記調節手段(38)は、前記保持手段(26)に設けた一対の支持体(36,36)の夫々に回動可能に支持された調節回転体(40,40)を備え、両調節回転体(40,40)に亘り、その回動中心から所定間隔離間した位置に前記規制部材(30)を架設したことを特徴とする請求項１〜３の何れか一項に記載のサンドイッチ包装機の袋詰サンドイッチ保持装置。
【発明の詳細な説明】
【技術分野】
【０００１】
この発明は、サンドイッチ包装機において、袋に三角サンドイッチを収容した袋詰サンドイッチの袋口を折り畳んで封止する際に、三角サンドイッチの保持位置を揃える袋詰サンドイッチ保持装置に関するものである。
【背景技術】
【０００２】
三角サンドイッチを収容した袋の袋口を折り畳んで袋開口を封止する包装機として、特許文献１に開示の装置がある。特許文献１の装置は、間欠的に水平回転するターンテーブルに所定間隔毎に設けられた保持手段に、一端が開放した袋に三角サンドイッチを収容した袋詰サンドイッチを、その袋口を半径方向外側へ向けた状態で受け入れて搬送し、搬入部から搬出部までの搬送の過程で、袋詰サンドイッチのサンドイッチ端面から延びる袋開口縁部を、サンドイッチ端面に沿って互いに重なるように順次折り畳んだ後に封止している。保持手段に送り込まれた袋詰サンドイッチは、袋底面から上方傾斜している前側傾斜面が規制部材に当接して、ターンテーブルの回転中心方向への移動が規制される。これにより、袋詰サンドイッチは、ターンテーブルの半径方向外側へ向くサンドイッチ端面が所定位置に位置付けられて保持され、ターンテーブルによる袋詰サンドイッチの搬送の過程で、袋口の折り畳みおよび封止が行われる。
【先行技術文献】
【特許文献】
【０００３】
【特許文献１】特許第４３５５９５１号公報
【発明の概要】
【発明が解決しようとする課題】
【０００４】
三角サンドイッチは、四角形の食パンを対角線上で切断して耳部を取り除いて得た直角三角形状パンを用いており、元の食パンの外形が略正方形や長方形などの異なる形状を呈していたり、元の食パンの外形寸法が製造ロッド単位で異なっている場合など、定まった寸法になっていないことが多い。前述したように、袋詰されたサンドイッチの前側傾斜面を規制部材に当接させて位置決めすると、ターンテーブルに送り込まれたサンドイッチの後方に向く端面の位置が、前記前側傾斜面の傾斜角の相違によって異なることになり、サンドイッチ端面に沿ってだぶつきなく袋口の折り畳みや封止処理を行うことができず、包装の見栄えが悪化し、また不良包装率が高まってしまうといった問題が指摘される。
【０００５】
すなわち本発明は、従来の技術に係る前記問題に鑑み、これらを好適に解決するべく提案されたものであって、サンドイッチのサイズやカット形状など、三角サンドイッチの外形に合わせて、三角サンドイッチの保持位置を揃えることができるサンドイッチ包装機の袋詰サンドイッチ保持装置を提供することを目的とする。
【課題を解決するための手段】
【０００６】
前記課題を克服し、所期の目的を達成するため、本願の請求項１に係る発明のサンドイッチ包装機の袋詰サンドイッチ保持装置は、
一端が開放した袋に三角サンドイッチを収容した袋詰サンドイッチを搬送手段で支持して搬送する過程で、該搬送手段の外側方に向いた袋口を折り畳んで封止するサンドイッチ包装機の袋詰サンドイッチ保持装置において、
前記搬送手段に前記搬送方向に向けて所定間隔毎に設けられ、該搬送手段に受け入れた前記袋詰サンドイッチを外側方に向けて個々に保持する保持手段を備え、
前記保持手段は、前記袋詰サンドイッチの前側傾斜面に当接して、前記搬送手段の外側方を向くサンドイッチの後側端面の前後位置を位置決めする規制部材を備え、該規制部材には、袋詰サンドイッチの前側傾斜面に当接する高さ位置と該前側傾斜面に当接する前後位置とを調節する調節手段を配設したことを特徴とする。
請求項１に係る発明によれば、三角サンドイッチのサイズや形状に応じて、規制部材の高さ位置と前後位置とを調節することで、袋詰されたサンドイッチの後側端面の前後位置が変化することなく定位置に設定することができるから、袋口の折り畳みおよび封止を良好に行うことができる。
【０００７】
請求項２に係る発明では、前記保持手段は、前後方向に離間する少なくとも２個の規制部材を備え、各規制部材に前記調節手段を設けたことを特徴とする。
請求項２に係る発明によれば、規制部材の夫々について高さ位置と前後位置とを調節するだけの簡単な調節形態にも関わらず、サンドイッチのサイズや形状の違いによるサンドイッチの前側傾斜面の様々な傾斜角度に対応した調節手段とすることができる。
【０００８】
請求項３に係る発明では、前記調節手段は、ワンアクションで前記規制部材の上下と前後とに移動調節し得る構成としたことを特徴とする。
請求項３に係る発明によれば、ワンアクションで規制部材の位置を上下方向と前後方向とに１度に調節できるから、簡単に調節できる。
【０００９】
請求項４に係る発明では、前記調節手段は、前記保持手段に設けた一対の支持体の夫々に回動可能に支持された調節回転体を備え、両調節回転体に亘り、その回動中心から所定間隔離間した位置に前記規制部材を架設したことを特徴とする。
請求項４に係る発明によれば、調節回転体を回動するだけで該調節回転体の回動中心から離間した位置に配設された規制部材による保持位置を上下方向と前後方向とにワンアクションで調節することができ、簡単な構成でサンドイッチのサイズや形状の違いによるサンドイッチの前側傾斜面の様々な傾斜角度に対応できる。
【発明の効果】
【００１０】
本発明に係るサンドイッチ包装機の袋詰サンドイッチ保持装置によれば、サンドイッチのサイズやカット形状などの外形の変化に応じて、保持手段による三角サンドイッチの保持位置を調節できる。
【図面の簡単な説明】
【００１１】
【図１】本発明の実施例に係るサンドイッチ包装機の全体構成を示す概略平面図である。
【図２】実施例に係るサンドイッチ包装機の概略側面図であり、(ａ)は受入位置にある保持手段を示し、(ｂ)は送出位置にある保持手段を示す。
【図３】(ａ)は実施例のサンドイッチ包装機における保持手段を拡大して示す概略平面図であり、(ｂ)は(ａ)のＡ部拡大図である。
【図４】実施例の保持手段を袋詰サンドイッチの送り方向から見た要部概略正面図である図３(ａ)のＢ矢視図である。
【図５】図４のＣ−Ｃ断面図である。
【図６】(ａ)は挟持手段の駆動部を示す概略底面図である図２(ａ)のＤ矢視図であり、(ｂ)は(ａ)のＥ−Ｅ断面図である。
【図７】(ａ)は袋口を封止する前の袋詰サンドイッチを示す概略斜視図であり、(ｂ)は袋口を封止したサンドイッチ包装品を示す概略斜視図である。
【発明を実施するための形態】
【００１２】
次に、本発明に係るサンドイッチ包装機の袋詰サンドイッチ保持装置につき、実施例を挙げて、添付図面を参照して以下に説明する。
【実施例】
【００１３】
図１または図２に示すように、サンドイッチ包装機２０は、三角形状のサンドイッチ(三角サンドイッチ)１６が収容された袋詰サンドイッチ１０を保持して所定角度毎に間欠的に搬送する搬送手段２２と、この搬送手段２２の外側に設置され、後述するターンテーブル２４の回転により間欠的に搬送される袋詰サンドイッチ１０の袋口１２における四方の各延出部１４ａ,１４ｂ,１４ｂ,１４ｃを順次折り畳み封止する複数の折り畳み手段Ｓ１,Ｓ２,Ｓ３と、袋口１２が封止されたサンドイッチ包装品１３を搬出コンベアＣ２へ向けて送出する押出手段７０とから基本的に構成される。なお、サンドイッチ包装機２０の詳細については、特許第４３５５９５１号、特許第４３９２５３６号および特許第４３５９４６号に記載の構成を適用し得る。
【００１４】
図７に示すように、縦断面が略直角三角形状のサンドイッチ１６は、直角三角形の斜辺に当たる傾斜面の一方の角部を、閉塞端側となる袋底部から外方に延出する延出片１１ａを形成した袋１１の袋口１２から袋底部に臨ませた状態で収容して袋詰サンドイッチ１０とされる。袋詰サンドイッチ１０は、サンドイッチ１６の直交する面の一方を底面として搬入コンベアＣ１に載置されると共に、略鉛直に延在する他方の後側端面１６ａが位置する袋口１２を移送方向後方に向けた姿勢でサンドイッチ包装機２０の搬送手段２２に向けて移送され、袋詰サンドイッチ１０はサンドイッチ１６の後側端面１６ａが位置する袋口１２を半径方向外側(搬送手段２２による搬送方向と交差する前後方向後側)に向けると共にサンドイッチ１６の傾斜面に対応する前側傾斜面１０ａを前側(ターンテーブル２４の回転中心方向)に向けた姿勢でターンテーブル２４に受け渡される。そして、袋詰サンドイッチ１０は、ターンテーブル２４で回転中心に対して放射状に配置されて搬送される過程で、折り畳み手段Ｓ１,Ｓ２,Ｓ３により袋口１２におけるサンドイッチ１６の後側端面１６ａより延出するフィルム延出部１４の各延出部１４ａ,１４ｂ,１４ｂ,１４ｃを後側端面１６ａに沿わせて順次折り畳んで封止すると共に、各延出部１４ａ,１４ｂ,１４ｂ,１４ｃの重ね合わせ部分を粘着テープ等の貼着材１８で貼着固定することで、図７(ｂ)に示す如く袋口１２が封止されたサンドイッチ包装品１３を得ることができる。実施例で云う方向は、特に断りがない限り、サンドイッチ１６の重ね方向(厚み方向)を左右方向(ターンテーブル２４に載置した際に、該ターンテーブル２４の周方向および搬送手段２２による搬送方向と合致)と称し、袋底部に向かう方向を前側と称し、袋口１２側に向かう方向を後側と称し、高さ方向を上下方向と称する。
【００１５】
前記折り畳み手段Ｓ１,Ｓ２,Ｓ３は、ターンテーブル２４における袋詰サンドイッチ１０の受入位置ＰＮの回転方向下流側に位置する第１折り畳み位置Ｐ１において、袋口１２の下延出部１４ａを折り畳む第１折り畳み手段(処理手段)Ｓ１と、この第１折り畳み位置Ｐ１の回転方向下流側に位置する第２折り畳み位置Ｐ２において、袋口１２の左右延出部１４ｂ,１４ｂを折り畳む第２折り畳み手段(処理手段)Ｓ２と、第２折り畳み位置Ｐ２の回転方向下流側に位置する第３折り畳み位置Ｐ３において、袋口１２の上延出部１４ｃを折り畳むと共に、粘着テープ等の貼着材１８で封止する第３折り畳み手段(処理手段)Ｓ３とからなり、これら各折り畳み手段Ｓ１,Ｓ２,Ｓ３での所要の折り畳み工程を経ることで、図７(ｂ)に示す如く袋口１２が封止されたサンドイッチ包装品１３となって、ターンテーブル２４の送出位置ＰＳに設けた押出手段７０により搬出コンベアＣ２へ送り出される。
【００１６】
図１または図２に示すように、搬送手段２２は、平面視で円形のターンテーブル２４と、このターンテーブル２４の外周縁近傍に所定間隔(実施例では４５°間隔)毎で着脱交換可能に配設した複数(実施例では８組)の保持手段２６とを備え、搬入コンベアＣ１で搬送されてきた袋詰サンドイッチ１０を、受入位置ＰＮに位置決めされた保持手段２６によって袋口１２をターンテーブル２４の半径方向外側へ向けた姿勢で受け入れるよう構成される。そして、保持手段２６に袋詰サンドイッチ１０を保持した状態でターンテーブル２４が図示しない駆動手段により水平に回転され、この袋詰サンドイッチ１０を第１折り畳み位置Ｐ１、第２折り畳み位置Ｐ２および第３折り畳み位置Ｐ３に順次位置決め後、最終的に受入位置ＰＮと１８０°反転した位置で、搬出コンベアＣ２の搬送始端に臨む送出位置ＰＳへ搬送するようになっている(図１参照)。すなわちターンテーブル２４は、各折り畳み手段Ｓ１,Ｓ２,Ｓ３での折り畳み位置Ｐ１,Ｐ２,Ｐ３および送出位置ＰＳに対応して所定角度(実施例では４５°)ずつ適宜タイミングで間欠的に回転するようになっている。保持手段２６は、ハンドルノブ２７を緩めて搬送手段２２から取り外しが可能であり、保持手段２６を着脱交換可能とすることで、メンテナンスや清掃などを簡単に行うことができる。
【００１７】
図３または図４に示すように、保持手段２６は、袋詰サンドイッチ１０における左右の両側面を挟持して左右方向への移動を規制する一対の挟持部材２８,２８と、両挟持部材２８,２８の間に受け入れてターンテーブル２４に載置した袋詰サンドイッチ１０の前側傾斜面１０ａに当接して、袋詰サンドイッチ１０の前側(ターンテーブル２４の回転中心方向)の位置規制をする規制部材３０とを備えている。この規制部材３０によって、袋詰サンドイッチ１０におけるサンドイッチ１６の後側端面１６ａが、ターンテーブル２４の半径方向前後の所定位置で位置付けられる。
【００１８】
前記一対の挟持部材２８,２８は、ターンテーブル２４の周方向へ平行に離間して立設され、保持手段２６に受け入れた袋詰サンドイッチ１０の左右各側面を各挟持部材２８の挟持面で挟持可能に配置されている。ターンテーブル２４の上側に延出した各挟持部材２８の挟持面は、サンドイッチ１６の側面の大部分の範囲を挟み得る大きさの三角平面形状に形成される。すなわち、傾斜面がターンテーブル２４の回転中心方向に臨むサンドイッチ１６を保持手段２６で保持するので、各挟持部材２８は回転中心方向から半径方向外側に向かうにつれて上方傾斜する略三角平面形状に形成される(図２(ｂ)参照)。また、各挟持部材２８は、ターンテーブル２４に開設した開口２４ａを介して下側に突出すると共に、その下端部は移動体３２に夫々配設される。各移動体３２は、一対のガイドロッド３４,３４に摺動自在に夫々配設され、該ガイドロッド３４,３４に沿って相互に近接・離間移動し得るようになっている。そして、移動体３２,３２とガイドロッド３４,３４からなるスライド手段によって、一対の挟持部材２８,２８がターンテーブル２４に載置した袋詰サンドイッチ１０の側面を挟持する挟持位置と、互いに離間して挟持状態を解除する開放位置との間を移動するよう構成されている。
【００１９】
図３および図４に示すように、前記一対の挟持部材２８,２８の移動範囲より外側でターンテーブル２４の上面に一対の支持体３６,３６が立設され、両支持体３６,３６の間に、２個の規制部材３０,３０が前後方向と上下方向とに位置をずらして水平に架設される。そして、規制部材３０は、挟持部材２８における前側傾斜辺の前方を横切るよう配設されている。各規制部材３０は、少なくとも袋詰サンドイッチ１０の前側傾斜面１０ａに当接する部位が円弧状に形成された棒状材であることが好ましく、実施例では丸棒が用いられている。そして、下側に位置する規制部材３０が、上側に位置する規制部材３０より前方に配置され、各規制部材３０が搬入コンベアＣ１から保持手段２６に受け入れた袋詰サンドイッチ１０の前方への移動を規制し得るようになっている(図５参照)。それにより、保持手段２６は、挟持部材２８,２８の間に受け入れた袋詰サンドイッチ１０におけるサンドイッチ１６の後側端面１６ａが半径方向前後の所定位置に位置揃えされて、フィルム延出部１４がターンテーブル２４の半径方向外側へ向けて突出した状態となる。
【００２０】
各規制部材３０には、袋詰サンドイッチ１０の前側傾斜面１０ａの形成状態に応じて、袋詰サンドイッチ１０の前側傾斜面１０ａに当接する高さ位置と該前側傾斜面１０ａに当接する前後位置とを調節可能に構成した調節手段３８が設けられる。調節手段３８は、規制部材３０,３０の夫々を、独立して設定高さと前後位置との夫々を調節可能になっている。調節手段３８は、保持手段２６に設けた一対の支持体３６の夫々に回動可能に支持された調節回転体４０,４０からなり、両調節回転体４０,４０に亘り、該調節回転体４０,４０の回動中心から所定間隔離間した偏心位置に規制部材３０が架設されている。そして、両調節回転体４０,４０の周囲を摘んで同一方向へ回動するだけのワンアクションの操作で、高さ位置と前後位置とが併せて変位するように調節される。
【００２１】
前記調節手段３８は、調節回転体４０における支持体３６に臨む面に、周方向に所定角度間隔で形成された複数の凹部４２ａと、調節回転体４０に対して所定の付勢力を付与して、凹部４２ａに弾力的に係脱可能なボールプランジャなどの係止体４２ｂとからなる係止手段４２を有している。調節回転体４０には、その回動方向へ所定角度毎に凹部４２ａが複数箇所設けられ、係止手段４２により規制部材３０を上下６０°ずつの振り幅となるように調節回転体４０を所定角度単位で位置決めし得るようになっている。係止体４２ｂは、先端のボールがバネに付勢されて凹部４２ａに嵌り込んで、調節回転体４０の回動方向へ回動を所定角度毎に係止する。調節回転体４０の回動軸４０ａには、該調節回転体４０と一体回動する指針４６が支持体３６の左右両側面に配設され、支持体３６の側面に表示された指標部４８に対して指針４６が指し示す目盛値により、規制部材３０の高さ位置および前後位置を目盛値に合わせて設定し得る。
【００２２】
前記一対の移動体３２,３２は、ターンテーブル２４における受入位置ＰＮおよび送出位置ＰＳでは、左右方向へ互いに離間する側へ変位されて、これに対応して挟持部材２８,２８が互いに離間する側へ変位して袋詰サンドイッチ１０の受け入れまたは送り出しを許容するよう構成される。また、一対の移動体３２,３２は、ターンテーブル２４の受入位置ＰＮから送出位置ＰＳへの搬送過程では、付勢手段５０により互いに近接する側に変位されて、これに対応して挟持部材２８,２８が互いに近接する側へ変位して袋詰サンドイッチ１０の左右両側面を挟持して位置決めすると共に、ターンテーブル２４の回転に際して袋詰サンドイッチ１０の半径方向外側への移動を規制するようになっている。 
【００２３】
前記ターンテーブル２４の下方には、該ターンテーブル２４の回転軸２５と同軸的に作動カム５２が配設され、該作動カム５２は回転軸２４ａに第１軸受を介して回転自在で、かつ前記装置基部２１に対して第２軸受を介して回転自在に支持され、ターンテーブル２４とは独立して回動し得るよう構成される。各保持手段２６の移動体３２,３２に対応してターンテーブル２４の裏面に、連動リンク手段としての第１および第２のリンクレバー５４Ａ,５４Ｂが、Ｌ字形アームの屈曲部を支点としてターンテーブル２４の裏面に揺動可能に配設され、一方のアームの延出端に形成された係合溝５５に、対応する移動体３２の下方に自由回転可能に設けられたローラ５８が夫々係合すると共に、両リンクレバー５４Ａ,５４Ｂの他方のアームの延出端が互いに回動可能に連結されている(図６(ａ)参照)。なお、上方に位置する第２のリンクレバー５４Ｂにおける第１のリンクレバー５４Ａとの連結部のアーム先端には、連結溝５６が切欠き形成され、この連結溝５６に第１のリンクレバー５４Ａに配設された連結ローラ６０が係合することで、夫々のリンクレバー５４Ａ,５４Ｂが連結されている(図６(ｂ)参照)。
【００２４】
前記第２のリンクレバー５４Ｂにおける第１のリンクレバー５４Ａとの連結部には、引っ張りばね等からなる付勢手段５０の一方が接続され、この付勢手段５０の他方がターンテーブル２４の裏面に設けた係止部６２に接続されて、ターンテーブル２４の中心へ向けて常に付勢されている。また、第１のリンクレバー５４Ａには、連結ローラ６０と同心的に作動ローラ６４が自由回転可能に配設され、その周面が作動カム５２における大径部の周面を転動するよう構成されている。これにより両リンクレバー５４Ａ,５４Ｂは同期的に揺動して、挟持部材２８,２８が左右方向へ一体的に同一の距離だけ近接離間移動し得るよう設定され、挟持部材２８,２８で挟持した袋詰サンドイッチ１０が、保持手段２６における左右方向の略中心に、袋詰サンドイッチ１０の左右幅の略中心を整合させて挟持中心を常に一定にするようセンタリングされる。
【００２５】
前記作動カム５２は、その大径部が常には前記送出位置ＰＳから受入位置ＰＮに到る位置までの間に位置決めされると共に、受入位置ＰＮにおいて袋詰サンドイッチ１０が搬入コンベアＣ１からターンテーブル２４に移載されると、ターンテーブル２４の回転開始前に該ターンテーブル２４の回転方向と逆向き(実施例では反時計廻り)に図示しない駆動手段により所定角度だけ回動して受入位置ＰＮに小径部を位置させた後、ターンテーブル２４が回転すると共に元の位置(ターンテーブル２４の回転方向)に回動するよう設定される。このように、作動ローラ６４が作動カム５２の大径部から小径部に移行することで、袋詰サンドイッチ１０が受入位置ＰＮから送出位置ＰＳまで搬送される間において、一対の挟持部材２８,２８は付勢手段５０の付勢作用下に袋詰サンドイッチ１０の側面を弾力的に挟持する。また、各保持手段２６が送出位置ＰＳから受入位置ＰＮに到るまでは、対応する作動ローラ６４が作動カム５２の大径部を転動して挟持部材２８,２８が互いに離間した開放状態になるよう構成される。なお、挟持部材２８,２８で袋詰サンドイッチ１０が挟持されないときには、作動ローラ６４が作動カム５２の小径部を転動して、一対の挟持部材２８,２８が互いに近接した所定位置に維持されるよう構成される。
【００２６】
〔実施例の作用〕
次に、実施例に係るサンドイッチ包装機２０の袋詰サンドイッチ保持装置の作用について説明する。規制部材３０は、調節手段３８の調節回転体４０を回動操作することで、ターンテーブル２４における保持手段２６の載置面からの高さ位置を上下調整できると共に、袋詰サンドイッチ１０が保持手段２６に受け入れられたときの前側の規制位置を前後調整できる。そして、前後に離間配置された２個の両規制部材３０,３０の夫々が、独立して上下と前後とに位置調節可能である。また、指針４６が指し示す指標部４８の目盛値に合わせて、規制部材３０の高さと前後位置とを調節することで、サンドイッチ１６の傾斜角度など異なる形状の品種切り換え時に位置決め設定を再現することができる。袋詰サンドイッチ１０の前側傾斜面１０ａの傾斜角度に合わせて、２個の規制部材３０,３０の高さと前後位置とを調節することで、傾斜角度など複数品種のサンドイッチ１６に対応した外形の変化に応じて、保持手段２６に保持された袋詰サンドイッチ１０の後側端面１６ａが揃うように位置決めすることができ、袋詰サンドイッチ１０におけるフィルム延出部１４を折り畳んで封止する際の基準位置が定位置で位置付けられる。フィルム延出部１４のサンドイッチ１６の後側端面１６ａへの折り畳みに際して、フィルムのだぶつきを防いで後側端面１６ａに沿って折り重ねることができ、その折り畳み状態で袋口１２を封止することができ、異なるサンドイッチ１６間の包装であっても包装の見栄えを低下させることなく、良好な包装がなされたサンドイッチ包装品１３を得ることができる。
【００２７】
前記保持手段２６は、２個の規制部材３０,３０の夫々について高さ位置と前後位置と調節するだけの簡素な調節形態にも関わらず、サンドイッチ１６のサイズや形状の違いによる袋詰サンドイッチ１０の前側傾斜面１０ａの傾斜角度や前後位置の変化に対応できる。また、調節回転体４０の偏心位置に規制部材３０を配設した構成の調節手段３８としたので、調節回転体４０を回動するだけのワンアクションの操作で、規制部材３０の高さ位置と前後位置とを一緒に調節できるから、調節作業が非常に楽で短時間で行うことができる。
【００２８】
(変更例)
本発明は実施例の構成に限定されるものではなく、例えば、以下のようにも変更実施可能である。また、以下の変更例に限らず、実施例に記載した構成については、本発明の主旨の範囲内において種々の実施形態を採用し得る。
(１)調節手段３８は、調節回転体４０の回動により規制部材３０を位置調節する構成に限られず、支持体３６に配設されたガイドなどに沿って斜め前後方向に移動して規制部材３０を位置調節する構成やその他の構成を採用し得る。
(２)調節手段３８による調節可能角度範囲は、実施例に限られず、また係止手段４２による回動規制ピッチも実施例に限られず、適宜に設定することができる。また、調節手段３８は、無段階調節可能な構成としてもよい。調節回転体を一端が回動可能に支持されると共に他端に規制部材３０を配設したアームで構成し、該アームを回動中心に対して規制部材３０の配設位置が近接または離間するように伸縮可能とするなどにより、調節回動体の回動中心からの規制部材３０の離間間隔を変更可能に構成してもよい。
(３)規制部材３０は、１つであってもよい。
(４)保持手段２６は、ターンテーブル２４に配設される構成に限られず、搬送手段２２によって保持手段２６が上流から下流側に直線的に搬送される際に、保持手段２６で袋詰サンドイッチ１０を支持して、袋口１２側が所定位置で位置付けられて折り畳み封止される形態の各種のサンドイッチ包装機に、本発明を適用可能である。
【符号の説明】
【００２９】
１０ 袋詰サンドイッチ，１０ａ 前側傾斜面，１１ 袋，１２ 袋口，
１６ サンドイッチ(三角サンドイッチ)，１６ａ 後側端面，２２ 搬送手段，
２６ 保持手段，３０ 規制部材，３６ 支持体，３８ 調節手段，４０ 調節回転体
【図１】
2015155326.tif 000003
【図２】
2015155326.tif 000004
【図３】
2015155326.tif 000005
【図４】
2015155326.tif 000006
【図５】
2015155326.tif 000007
【図６】
2015155326.tif 000008
【図７】
2015155326.tif 000009